【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
印刷物に埋め込まれたＩＣチップに近接されることで、前記ＩＣチップに記録されたデータを非接触により読み取るＩＣチップ読み取り手段と、
前記ＩＣチップ読み取り手段によって複数のＩＣチップから読み取られたデータをもとに、それぞれのＩＣチップに対応する対応情報を表示する表示手段と、
前記表示手段により表示された対応情報の何れかの情報を選択する選択手段と、
前記選択手段によって選択された情報に応じて、当該情報に対応するＩＣチップから読み取られたデータをもとにした情報を出力する情報出力手段と
を具備したことを特徴とする情報処理装置。
【請求項２】
前記ＩＣチップ読み取り手段によって印刷物に埋め込まれた複数のＩＣチップの全てについて読み取りが完了したか判別する判別手段と、
前記判別手段により読み取りが完了していないと判別された場合に、読み取りが完了していないことを表す確認指示を出力する確認出力手段と
をさらに具備したことを特徴とする請求項１記載の情報処理装置。
【請求項３】
前記判別手段は、
読み取り終了の確認報告を通信により送信する報告送信手段と、
前記報告送信手段により送信した確認報告に対する応答を受信する受信手段と、
前記受信手段により受信された応答から読み取りが完了したかを判別する応答判別手段と
を具備したことを特徴とする請求項２記載の情報処理装置。
【請求項４】
前記ＩＣチップに記録されるデータには通信による接続先を示す接続先データを含み、
前記ＩＣチップ読み取り手段によって読み取られた接続先データが示す接続先にデータを送信するデータ送信手段をさらに具備したことを特徴とする請求項１記載の情報処理装置。
【請求項５】
前記ＩＣチップ読み取り手段によって複数のＩＣチップから読み取られたデータをもとに、段階的に情報を出力するための出力データを作成する出力データ作成手段と、
前記出力データ作成手段により作成された出力データをもとに段階的に情報を出力する段階情報出力手段と、
前記段階情報出力手段により出力される情報を次の段階に更新させる指示を入力する更新入力手段と
をさらに具備したことを特徴とする請求項１記載の情報処理装置。
【請求項６】
前記ＩＣチップに他のＩＣチップとの位置関係情報を登録する登録手段と、
前記ＩＣチップ読み取り手段によって前記ＩＣチップから読み取られたデータをもとに、前記登録手段によって登録された位置関係情報に基づいて、次にデータを読み取るべきＩＣチップが埋め込まれた前記印刷物の位置を判別する位置判別手段と、
前記位置判別手段によって判別された前記印刷物の位置を通知するための出力を行なう通知出力手段と、
前記通知出力手段によって出力された通知に応じた位置に埋め込まれたＩＣチップから前記ＩＣチップ読み取り手段によって読み取られたデータに応じた情報を出力する読取情報出力手段と
を具備したことを特徴とする請求項１記載の情報処理装置。
【請求項７】
印刷物に埋め込まれたＩＣチップに近接されることで、前記ＩＣチップに記録されたデータを非接触により読み取るＩＣチップ読み取り手段と、
前記ＩＣチップ読み取り手段によって前記ＩＣチップから読み取られたデータを、他の電子機器に送信するデータ送信手段と、
前記データ送信手段によって送信したデータに対する、前記他の電子機器における処理結果とするデータを受信するデータ受信手段と、
前記受信手段によって受信したデータを出力するデータ出力手段と
を具備したことを特徴とする情報処理装置。
【請求項８】
複数の書類を綴じるための機構を有するバインダ型の情報処理装置であって、
前記機構によって綴じられた書類に埋め込まれたＩＣチップに記録されたデータを非接触により読み取るＩＣチップ読み取り手段と、
前記ＩＣチップ読み取り手段によって読み取られたデータをもとに、前記機構により綴じられた複数の書類を管理するための書類データを更新する書類データ更新手段と、
前記書類データ更新手段により更新される書類データを格納する書類データ格納手段と
を具備したことを特徴とする情報処理装置。
【請求項９】
前記書類データ格納手段に格納された書類データを他の電子機器に送信する書類データ送信手段をさらに具備したことを特徴とする請求項８記載の情報処理装置。
【請求項１０】
前記ＩＣチップ読み取り手段を複数設けて、それぞれに対して前記書類に埋め込まれた複数のＩＣチップに対するデータ読み取り範囲を設定することを特徴とする請求項８記載の情報処理装置。
【請求項１１】
印刷用紙に対して印刷するプリンタ装置において、
前記印刷用紙に対して印刷された対象物の位置にＩＣチップを接着するチップ接着手段と、
前記チップ接着手段によって接着されたＩＣチップに対して、前記対象物に関係するデータを書き込むデータ書き込み手段と
を具備したことを特徴とするチップ貼り付けプリンタ装置。
【請求項１２】
前記チップ貼り付け手段は、
前記ＩＣチップを含んだシールが台紙上に連続的に配置され、保護フィルムにより覆われたチップシールロール紙が巻回されたチップシールロールと、
前記チップシールロール紙を印刷用紙の搬送路に沿って搬送させる搬送手段と、
前記搬送手段による搬送に伴って、前記保護フィルムを剥離させながら巻き取る保護フィルム剥離巻き取り機構と、
前記保護フィルムが剥離されたチップシールロール紙のＩＣチップを含んだシールを前記印刷用紙に押圧して接着するチップ接着手段と
を具備したことを特徴とする請求項１１記載のチップ貼り付けプリンタ装置。
【請求項１３】
印刷が施された印刷部材に非接触によりデータの読み取りがされるＩＣチップを複数埋め込み、前記ＩＣチップのそれぞれに、前記ＩＣチップが埋め込まれた位置に印刷された印刷内容と関連するデータと、他のＩＣチップとの関連を示すデータとを記録することを特徴とする印刷物。
【手続補正２】
【補正対象書類名】明細書
【補正対象項目名】０００８
【補正方法】変更
【補正の内容】
【０００８】
請求項１記載の発明は、印刷物に埋め込まれたＩＣチップに近接されることで、前記ＩＣチップに記録されたデータを非接触により読み取るＩＣチップ読み取り手段と、前記ＩＣチップ読み取り手段によって複数のＩＣチップから読み取られたデータをもとに、それぞれのＩＣチップに対応する対応情報を表示する表示手段と、前記表示手段により表示された対応情報の何れかの情報を選択する選択手段と、前記選択手段によって選択された情報に応じて、当該情報に対応するＩＣチップから読み取られたデータをもとにした情報を出力する情報出力手段とを具備したことを特徴とする。
【手続補正３】
【補正対象書類名】明細書
【補正対象項目名】００１３
【補正方法】変更
【補正の内容】
【００１３】
請求項６記載の発明は、請求項１記載の発明において、前記ＩＣチップに他のＩＣチップとの位置関係情報を登録する登録手段と、前記ＩＣチップ読み取り手段によって前記ＩＣチップから読み取られたデータをもとに、前記登録手段によって登録された位置関係情報に基づいて、次にデータを読み取るべきＩＣチップが埋め込まれた前記印刷物の位置を判別する位置判別手段と、前記位置判別手段によって判別された前記印刷物の位置を通知するための出力を行なう通知出力手段と、前記通知出力手段によって出力された通知に応じた位置に埋め込まれたＩＣチップから前記ＩＣチップ読み取り手段によって読み取られたデータに応じた情報を出力する読取情報出力手段とを具備したことを特徴とする。
【手続補正４】
【補正対象書類名】明細書
【補正対象項目名】００１４
【補正方法】変更
【補正の内容】
【００１４】
請求項７記載の発明は、印刷物に埋め込まれたＩＣチップに近接されることで、前記ＩＣチップに記録されたデータを非接触により読み取るＩＣチップ読み取り手段と、前記ＩＣチップ読み取り手段によって前記ＩＣチップから読み取られたデータを、他の電子機器に送信するデータ送信手段と、前記データ送信手段によって送信したデータに対する、前記他の電子機器における処理結果とするデータを受信するデータ受信手段と、前記受信手段によって受信したデータを出力するデータ出力手段とを具備したことを特徴とする。